(57)【要約】【課題】レンズの種類や特性に合わせて撮影センサーの位置を決定することが可能な技術の提供。【解決手段】レンズを通過した光を検出する撮影センサーと、前記撮影センサーを前記レンズの光軸方向に移動させる移動部と、前記レンズの焦点距離を取得する取得部と、前記移動部を制御して、前記レンズの焦点距離に応じたフランジバックとなるように前記撮影センサーを移動させる制御部とを備える撮影装置を構成する。【選択図】図２
2013224997.tif 000002
【特許請求の範囲】
【請求項１】
レンズを通過した光を検出する撮影センサーと、
前記撮影センサーを前記レンズの光軸方向に移動させる移動部と、
前記レンズの情報を取得する取得部と、
前記移動部を制御して、前記レンズの情報に応じたフランジバックとなるように前記撮影センサーを移動させる制御部と
を備える撮影装置。
【請求項２】
前記制御部が前記移動部を制御して前記レンズの情報に応じたフランジバックとなるように前記撮影センサーを移動させた後、フランジバックを変えずに前記移動部を制御してフォーカス調整を行うフォーカス調整部をさらに備える、
請求項１に記載の撮影装置。
【請求項３】
前記取得部は、前記レンズの焦点距離を取得し、
前記制御部は、前記レンズの焦点距離に応じたフランジバックとなるように前記撮影センサーを移動させる、
請求項１または請求項２のいずれかに記載の撮影装置。
【請求項４】
前記制御部は、前記移動部を制御して、前記レンズの焦点距離とフランジバックとが一致するように前記撮影センサーを移動させる、
請求項３に記載の撮影装置。
【発明の詳細な説明】
【技術分野】
【０００１】
本発明は、撮影装置に関する。
【背景技術】
【０００２】
撮影センサーをレンズの光軸方向へ移動させて合焦させ、撮影を行う技術が知られている（例えば特許文献１）。
【先行技術文献】
【特許文献】
【０００３】
【特許文献１】特開２００５−１７６９９号公報
【発明の概要】
【発明が解決しようとする課題】
【０００４】
従来の技術を実現する場合、レンズの種類や特性に影響を受けて撮影センサーの可動範囲が制約される場合があるが、従来の技術においては、当該制約を考慮していない。また、ユーザー自身が当該制約を撮影の度に考慮するのは煩雑である。
本発明は上記課題にかんがみてなされたもので、レンズの種類や特性に合わせて撮影センサーの位置を決定することが可能な技術を提供することを目的とする。
【課題を解決するための手段】
【０００５】
本発明にかかる撮影装置は、レンズを通過した光を検出する撮影センサーによって撮影を行う撮影装置であり、移動部によって撮影センサーをレンズの光軸方向に移動させてフランジバックの大きさを調整することが可能である。そして、レンズの情報（焦点距離など）を取得し、レンズの情報（焦点距離など）に応じたフランジバックとなるように撮影センサーを移動させる。すなわち、撮影装置においては、レンズの位置と撮影センサーの位置と被写体の位置とが特定の関係にある場合に、レンズの位置を調整することによって被写体のフォーカスを調整して撮影センサー上に結像した画像を撮影することができる。
【０００６】
そして、レンズを移動させる際、レンズを撮影センサー等の構造物と接触させない状態を維持する等のためにレンズの可動範囲に制約が生じる。そこで、レンズの情報（焦点距離など）に応じたフランジバックとなるように撮影センサーを移動させる構成とすれば、可動範囲内でレンズを移動させて、レンズによって撮影センサー上に画像を結像させることが可能であるような位置関係を維持するように撮影センサーの位置を調整することが可能である。
【０００７】
例えば、レトロフォーカスタイプのレンズにおいては、一般的にレンズをもっとも撮影センサーに近づけたときのバックフォーカス内にレンズの主点が存在する（レンズにおける最も撮影センサー寄りの端点と撮影センサーとの間に主点が存在する）ため、焦点距離はレンズをもっとも撮影センサーに近づけたときのバックフォーカス以下である。そして、焦点距離とフランジバックとが一致している場合、レンズの主点と撮影センサーとの間隔（＝焦点距離）がフランジバックに一致することになるため、無限遠に存在する被写体を撮影センサー上の一点で撮影する場合には、焦点距離とフランジバックとが一致している状態からレンズの位置を移動させずに撮影することになる。一方、無限遠よりも近い被写体を撮影するためには、レンズの主点を撮影センサーから遠ざける必要があり、レトロフォーカスタイプのレンズにおいてレンズの主点を撮影センサーから遠ざけるためには、レンズを撮影センサーから遠ざける必要がある。従って、レンズの焦点距離とフランジバックとが一致するように撮影センサーを移動させた後にフォーカス調整を行ったとしても、レンズと撮影センサーとの距離が焦点距離よりも常に大きい状態に保つことができ、レンズと撮影センサーとが接触することを防止することができる。なお、レンズと撮影センサーとが接触することを防止するために、レンズの焦点距離とレンズをもっとも撮影センサーに近づけたときのバックフォーカス（無限遠にフォーカスしたときのバックフォーカス）とが一致するように構成しても良い。
【０００８】
さらに、レトロフォーカスタイプのレンズは、凹レンズと凸レンズとの組み合わせによって構成されており、少なくとも１枚の凹レンズが少なくとも１枚の凸レンズと比較して被写体側に存在する。そして、当該凹レンズの屈折を小さく（湾曲を小さく）するほど主点が撮影センサーから遠ざかる。従って、当該凹レンズの屈折が異なり他のレンズの構成が同一である２種類のレトロフォーカスタイプのレンズを比較した場合、凹レンズの屈折が小さいレンズの方が主点が被写体側に存在する。そして、これらの２種類のレトロフォーカスタイプのレンズの双方における焦点距離に応じて撮影センサーの位置を調整可能な本願の構成によれば、双方において被写体を撮影可能な位置に撮影センサーを移動させることが可能であり、より小型のレンズ（より屈折が小さいレンズ）を利用して撮影を行うことが可能になる。従って、撮影装置にて使用されるレンズシステムにおいて各焦点距離のレンズを小型化することが可能である。
【０００９】
なお、撮影装置においては、制御部が移動部を制御してレンズの情報（焦点距離など）に応じたフランジバックとなるように撮影センサーを移動させた後、フランジバックを変えずに移動部を制御してフォーカス調整を行うことが好ましい。すなわち、先に撮影センサーを移動させてフランジバックの大きさを調整した後に、フォーカスを調整することにより、フォーカス調整を行ったとしても、常にレンズと撮影センサーとの距離を焦点距離以上に保つことができ、レンズと撮影センサーとが接触することを防止しながらフォーカス調整を行うことが可能である。
【００１０】
さらに、本発明のように、レンズの焦点距離に応じてフランジバックを調整する手法は、プログラムや方法としても適用可能である。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００１１】
【図１】本発明の実施形態にかかる撮影装置のブロック図である。
【図２】（２Ａ）（２Ｂ）（２Ｃ）はレンズと撮影センサーの位置関係を示す図である。
【図３】撮影処理を示すフローチャートである。
【発明を実施するための形態】
【００１２】
ここでは、下記の順序に従って本発明の実施の形態について説明する。
（１）撮影装置の構成：
（２）撮影処理：
（３）他の実施形態：
【００１３】
（１）撮影装置の構成：
図１は本発明の一実施形態にかかる撮影装置１を示しており、当該撮影装置１には、光学系１０、撮影センサー１４、移動部１４ａ、記憶部１５、表示部２０、記録部３０、入力部４０、フォーカス調整部４３、絞り調整部４５、シャッター制御部５０、露光制御部６０、ＣＰＵ７０、画像生成部８０が備えられている。ＣＰＵ７０は、所定のプログラムに従って、移動部１４ａ、フォーカス調整部４３、絞り調整部４５、シャッター制御部５０、露光制御部６０、記憶部１５、画像生成部８０、表示部２０、記録部３０、入力部４０の動作を制御する。
【００１４】
光学系１０は、撮影センサー１４に被写体画像を結像させるレンズ１１、絞り１２、シャッター１３を備えている。本実施形態においてレンズ１１と絞り１２とは鏡筒内に備えられており、当該鏡筒は図示しない筐体に交換可能に取り付けられる。本実施形態において、レンズ１１はいわゆるレトロフォーカスタイプのレンズであり、光軸に平行な方向に沿って並べられた複数枚のレンズを含むが、図１では簡便のために１枚のレンズのみを表現している。各レンズは外縁部で支持されるとともに、光軸方向に１部又は全部のレンズを移動可能とすることでフォーカス調整を行うことができる。レンズ１１の位置は、フォーカス調整部４３によって制御されるように構成されており、当該フォーカス調整部４３がレンズ位置の調整を指示されると、フォーカス調整部４３がレンズ１１を移動させてフォーカス調整を行う。なお、本実施形態においては鏡筒内に図示しないメモリおよび通信回路が備えられており、当該メモリにレンズ１１の焦点距離を示す情報（レンズ情報）が記録されている。ＣＰＵ７０は、当該鏡筒が筐体に取り付けられた状態で鏡筒内の通信回路を介して通信を行い、メモリに記録されたレンズ情報を取得することができる。
【００１５】
また、本実施形態において、絞り１２は、レンズ１１の光軸に対して垂直な平面内で回動可能に支持された複数の遮蔽板によって構成され、複数の遮蔽板が連動して回動することによって光軸に対して垂直な平面内で遮蔽されていない部分の面積を変化させることが可能である。絞り１２の開口径は絞り調整部４５によって制御されるように構成されており、当該絞り調整部４５が絞り１２の開口径を指示されると、絞り調整部４５が絞り１２を駆動させて当該指示された開口径となるように設定する。
【００１６】
シャッター１３は機械式のフォーカルプレーン型シャッターであり、撮影センサー１４の撮影センサー面に対して平行な平面板状の遮光部としての開閉式（折り畳み式）の複数の遮光幕を備えている。遮光幕はシャッター制御部５０からの制御信号に応じて光軸に対して垂直な方向に移動するように構成されており、通常は遮光幕が光軸に平行な方向の光路を遮らない状態で保持されている。また、遮光幕が光路を遮らない状態で保持されている状態において、所定のトリガが与えられると当該遮光幕が光路を遮らない状態で保持された状態が解除され、遮光幕は光軸に対して垂直な方向に駆動して複数の羽根が光路を遮る状態となる。また、図１においては、遮光幕の移動方向を破線の矢印Ａmで示している。
【００１７】
撮影センサー１４は、ベイヤー配列されたカラーフィルターと、光量に応じた電荷を光電変換によって画素ごとに蓄積する複数の受光素子（フォトダイオード）とを備えるＣＭＯＳ（Complementary Metal Oxide Semiconductor）イメージセンサーである。むろん、撮影センサーはＣＣＤ（Charge Coupled Device）イメージセンサー等の他のセンサーであってもよい。本実施形態にかかる撮影センサー１４は、露光制御部６０がリセット指示を行うことによって受光素子の受光量に対応した蓄積電荷をリセットするリセット動作を行い、各受光素子での露光を開始することができる。また、撮影センサー１４は、露光制御部６０が読出指示を行うことによって受光素子の受光量を示す情報の読出を行うことで露光を終了させることができる。
【００１８】
本実施形態にかかる撮影装置１によって記録用の画像を撮影する際（通常の撮影）には、機械シャッターであるシャッター１３と撮影センサー１４の電子シャッターとの組み合わせによって露光時間を制御する。すなわち、本実施形態において通常の撮影の場合には、撮影センサー１４における電子シャッターで露光を開始させ、シャッター１３の遮光幕で露光を終了させる電子先幕−機械後幕シャッター方式によって露光時間が制御される。具体的には、通常の撮影の場合、電子シャッターによりライン順次で露光が開始され、ライン毎の露光時間が、設定されたシャッター速度となるタイミングで各ラインが遮光されるように機械シャッターによる遮光が開始される。また、撮影装置１においては表示部２０においてライブビュー表示を行うことが可能であり、当該ライブビュー表示を行うための画像を撮影する際には、電子シャッター方式によって露光時間が制御される。すなわち、先幕も後幕も電子シャッターによって制御される。
【００１９】
移動部１４ａは、ＣＰＵ７０からの制御信号に応じて撮影センサー１４をレンズ１１の光軸Ａｓ方向に移動させる。移動部１４ａは、撮影センサー１４を光軸Ａｓ方向に移動させることができればよく、移動のための機構は種々の機構を採用可能である。例えば、撮影センサー１４を支持する部材を光軸Ａｓ方向に延びるレールで支持し、各種のモーター等の駆動源によって撮影センサー１４を支持する部材を当該レールに沿って移動させる構成等を採用可能である。むろん、ボールねじやラックピニオン機構等の他の構成を採用してもよいし、レンズ１１を移動させるための機構と同様の機構であってもよい。
【００２０】
本実施形態において、ＣＰＵ７０がレンズ１１の焦点距離などの情報を取得すると、ＣＰＵ７０は、当該焦点距離とフランジバックとが一致するように撮影センサー１４を移動させるための制御信号を移動部１４ａに対して出力する。すなわち、移動部１４ａにおいては、制御信号によってフランジバックの大きさが指示されると、当該指示されたフランジバックの大きさとするために必要な撮影センサー１４の移動量を特定し、当該移動量だけ撮影センサー１４を移動させる。
【００２１】
図２Ａは、レンズ１１を模式的に示す図である。本例に示すレンズ１１は凹レンズ１１ａと凸レンズ１１ｂとを備えている。同図２Ａにおいて、凸レンズ１１ｂの撮影センサー１４側の端点Ｅの光軸Ａｓ方向の位置は位置Ｐ1であり、レンズ１１のマウント面の光軸Ａｓ方向の位置は位置Ｐ2であり、撮影センサー１４の撮影面の光軸Ａｓ方向の位置は位置Ｐ3である。図２Ａにおいて左側から撮影センサー１４に向かう平行光は、撮影センサー１４の位置Ｐ3で交わる。従って、図２Ａにおいて、レンズ１１によって無限遠にフォーカスしたときのバックフォーカスはＬ1、フランジバックはＬ2である。
【００２２】
ＣＰＵ７０は、焦点距離とフランジバックとが一致するように撮影センサー１４を移動させるため、当該移動後において主点Ｐの位置は位置Ｐ2となり、焦点距離もＬ2である。レトロフォーカスタイプのレンズにおいて、レンズ１１の主点Ｐは凸レンズ１１ｂの撮影センサー１４側の端点Ｅと撮影センサー１４との間に存在する。従って、焦点距離Ｌ2は常にバックフォーカスＬ1以下である。
【００２３】
図２Ａにおいては、図の左側から光軸Ａｓに平行に進行する光（無限遠からの光）が撮影センサー１４上で一点に収束するため、無限遠からの光を一点で撮影することができる。一方、無限遠よりも近い被写体を撮影するためには、レンズ１１の主点を撮影センサー１４から遠ざけることになる。すなわち、図２Ｂに示すように、凹レンズ１１ａおよび凸レンズ１１ｂを撮影センサー１４から遠ざけることによって、主点Ｐの位置がレンズ１１のマウント面の位置Ｐ2よりも被写体側に移動させてフォーカス調整を行うことになる。従って、レンズ１１の焦点距離とフランジバックとが一致するように撮影センサーを移動させた後にフォーカス調整を行ったとしても、レンズ１１（図２Ａ，２Ｂに示す例では凸レンズ１１ｂ）と撮影センサー１４との距離が焦点距離Ｌ2よりも常に大きい状態に保つことができ、レンズ１１と撮影センサー１４とが接触することを防止することができる。
【００２４】
さらに、図２Ａ，２Ｂに示すようなレトロフォーカスタイプのレンズは、少なくとも１枚の凹レンズ１１ａが少なくとも１枚の凸レンズ１１ｂと比較して被写体側に存在する。そして、当該凹レンズ１１ａの屈折を小さく（湾曲を小さく）するほど主点Ｐが撮影センサーから遠ざかる。例えば、図２Ｃは、図２Ａに示すレンズ構成から凹レンズ１１ａのみをより薄い凹レンズ１１ｃに変更した場合の図であり、同図２Ｃに示すように凹レンズ１１ｃを使用した場合の主点Ｐの位置は、位置Ｐ2よりも被写体側の位置Ｐ4である。そして、本願のように、撮影センサー１４の光軸Ａｓ方向の位置を調整可能な構成であれば、図２Ｃに示すようなレンズシステムにおいてもフランジバックと焦点距離（図２Ｃに示すＬ4）とが一致するように撮影センサー１４を移動させて撮影を行うことが可能である。従って、より小型のレンズ（より屈折が小さいレンズ）を利用して撮影を行うことも可能になり、撮影装置１にて使用されるレンズシステムにおいて各焦点距離のレンズを小型化することが可能である。
【００２５】
表示部２０は、図示しないインターフェース回路、液晶パネルドライバー、液晶パネル、図示しない接眼レンズ等を備えている。本実施形態において、表示部２０は、撮影対象となる被写体を示す画像を表示してユーザーに撮影前の被写体の様子および撮影条件等の情報を把握させるＥＶＦ（Electronic View Finder）であり、本実施形態にかかる撮影装置１はＥＶＦを備えたミラーレスデジタルカメラである。
【００２６】
記録部３０は、図示しない記録媒体を挿入することが可能であり、記録部３０に記録媒体が挿入された状態で、記録媒体に対して情報を記録し、また、記録媒体から情報を読み出すことができる。すなわち、撮影した画像を示す画像データを記録媒体に記録することができる。なお、記憶部１５は、撮影センサー１４が出力する画像データ（受光素子毎の受光量を示す情報）を一時的に記録しておくメモリである。
【００２７】
画像生成部８０は、撮影センサー１４が出力する画素毎、色毎の受光量情報に対して予め決められた手順によって各種の処理を実行して画像データを生成する回路によって構成されている。当該画像生成部８０が実行する画像処理には、ＡＥ（Automatic Exposure）処理を行うための評価値とＡＦ（Automatic Focus）処理を行うための評価値を出力する処理が含まれる。すなわち、画像生成部８０は、撮影センサー１４による撮影範囲内に設定された所定の測光エリアに含まれる画素の明るさを評価するための評価値（例えば、輝度の平均値等）を特定し、ＡＥ処理を行うための評価値として出力することが可能である。ＣＰＵ７０は、ＡＥ処理を行うための評価値に基づいて絞り調整部４５、シャッター制御部５０、露光制御部６０に制御信号を出力し、適正露出となるように露出を調整する。すなわち、ＣＰＵ７０は、入力部４０における指示やデフォルト設定に基づいて画像データを撮影する際の撮影条件を特定し、当該撮影条件通りに各部を設定する機能を備えている。具体的には、ＣＰＵ７０が上述のＡＥ処理を行うための評価値に基づいて適正露出となるために必要な撮影条件を特定し、当該撮影条件通りに絞り１２、シャッター速度およびシャッター１３の位置が設定されるように、絞り調整部４５、シャッター制御部５０、露光制御部６０に対して制御信号を出力する。なお、適正露出となるための必要な撮影条件は、各種の前提条件（例えば、絞り優先、シャッター速度優先等）において特定可能である。
【００２８】
また、画像生成部８０は、撮影センサー１４による撮影範囲内に設定された所定の測距エリアに含まれる画素の合焦度合いを評価するための評価値（例えば、コントラストの大きさを示す値等）を特定し、ＡＦ処理を行うための評価値として出力することが可能である。ＣＰＵ７０は、ＡＦ処理を行うための評価値に基づいてフォーカス調整部４３に制御信号を出力し、合焦状態となるように露出を調整する。すなわち、ＣＰＵ７０は、上述のＡＦ処理を行うための評価値が合焦状態であることを示す所定範囲となるまでフォーカス調整部４３に対して制御信号を出力してレンズ１１の位置を変動させ、合焦状態を実現する。
【００２９】
入力部４０はシャッターボタンと、撮影モードを切り換えるための入力部と、絞りを切り替えるための入力部と、シャッター速度を切り換えるための入力部と、各種の設定メニューを操作するための入力部とを備えており、ユーザーは当該入力部４０に対する操作によって撮影装置１に対して各種の指示を与えることができる。なお、本実施形態においてシャッターボタンのストローク量は２段階で検出可能である。すなわち、シャッターボタンが半押しされた状態と全押しされた状態とを区別して検出可能である。また、本実施形態においてシャッターボタンが半押しされた場合にはライブビュー表示を継続しながら露出の決定とフォーカス調整を行う指示が行われたと見なされ、シャッターボタンが全押しされた場合には記録媒体に画像を記録する指示が行われたと見なされる。
【００３０】
以上の構成により、本実施形態においては、レンズ１１と撮影センサー１４とが接触することを防止することができるように撮影センサー１４を移動させた状態で撮影を行うことが可能である。また、撮影装置１にて使用されるレンズシステムにおいて各焦点距離のレンズを小型化することが可能である。
【００３１】
（２）撮影処理：
次に、実例とともに本実施形態における撮影処理を詳細に説明する。図３は撮影モードに入ったこと又は撮影モード中にレンズが交換されたことに応じて開始する撮影処理のフローチャートである。初期状態では、撮影センサー１４はレンズ１１から最も離れた場所に位置している。ＣＰＵ７０は、通常、表示部２０におけるライブビュー表示を行うための処理を実行し、シャッターボタンが全押しされると記録用の画像を撮影するための処理を実行する。本実施形態においては、ライブビュー表示を実行する前に、レンズ情報に基づいて撮影センサー１４を移動させる。このため、ＣＰＵ７０は、レンズ１１の情報（焦点距離など）を取得する（ステップＳ１００）。すなわち、ＣＰＵ７０は、レンズ１１を内包する鏡筒内の通信回路を介してレンズ１１内のメモリに記録されたレンズ１１の情報を取得することによってレンズ１１の焦点距離を取得する。なお、ＣＰＵ７０は、レンズ１１又はユーザーの入力操作からレンズ名を取得し、ＣＰＵ７０が予め保有しているテーブルを用いてレンズ名からレンズ１１の焦点距離を取得してもよい。
【００３２】
次に、ＣＰＵ７０は、焦点距離＝フランジバックとなるように撮影センサーを移動させる（ステップＳ１０５）。すなわち、ＣＰＵ７０は、ステップＳ１００にて取得した焦点距離を示す制御信号を移動部１４ａに対して出力する。移動部１４ａが当該制御信号を取得すると、当該制御信号を示す焦点距離とがフランジバックとを一致させるために必要な撮影センサー１４の移動距離を特定し、当該移動距離だけ撮影センサー１４を移動させる。この結果、例えば、図２Ａに示すように、焦点距離とフランジバックとが一致する状態が実現される。
【００３３】
次に、ＣＰＵ７０は、ユーザーによって設定された絞り１２の設定値に応じた開口径となるように絞り１２を調整する（ステップＳ１１０）。すなわち、ユーザーは入力部４０によって予め絞り１２のＦ値を設定する。ＣＰＵ７０は設定通りのＦ値に絞り１２を調整させるための制御信号を絞り調整部４５に出力し、絞り調整部４５は当該絞り１２のＦ値に応じた開口径になるように絞り１２を制御する。
【００３４】
絞り１２の開口径がユーザーによって設定された設定値となるように制御されると、次にＡＥ処理が実行される。すなわち、絞り１２の開口径がユーザーによって設定された設定値となった状態において画像生成部８０は、受光センサーの撮影範囲内に予め設定された測光エリアの画素の明るさを評価するための評価値を特定し、ＣＰＵ７０に対してＡＥ処理を行うための評価値として出力する（ステップＳ１１５）。なお、この段階におけるシャッター速度はデフォルト値（あるいは、前回の撮影の際の設定値）である。
【００３５】
次に、ＣＰＵ７０は、ＡＥ処理を行うための評価値に基づいて適正露出となるようにシャッター速度を調整する（ステップＳ１２０）。すなわち、ＣＰＵ７０は、ＡＥ処理を行うための評価値と予め決められた適正露出範囲とを比較し、ＡＥ処理を行うための評価値が適正露出範囲内に入るために必要なシャッター速度を特定する。そして、ＣＰＵ７０は、当該シャッター速度を示す制御信号を露光制御部６０に対して出力する。この結果、露光制御部６０が受光センサーにおける電子シャッターのシャッター速度を、ＡＥ処理を行うための評価値が適正露出範囲内に入るために必要なシャッター速度となるように調整する。
【００３６】
以上のようなＡＥ処理により、撮影される画像の露出が適正露出となった状態においてＣＰＵ７０は、画像生成部８０が生成する画像データを表示部２０に受け渡し、表示部２０においてＡＥ処理後の画像がライブビュー表示される状態とする。次に、ＣＰＵ７０は、シャッターボタンが半押しされたか否かを判定し（ステップＳ１２５）、半押しされたと判定されない場合、ステップＳ１１０以降の処理を繰り返す。一方、ステップＳ１２５にて、シャッターボタンが半押しされたと判定されると、ＣＰＵ７０は、受光センサーの撮影範囲内に予め設定された測距エリアのコントラストを評価するための評価値を特定し、ＣＰＵ７０に対してＡＦ処理を行うための評価値として出力する（ステップＳ１３０）。そして、ＣＰＵ７０は、当該評価値に基づいてフォーカス調整部４３に制御信号を出力し、当該評価値が所定の合焦範囲に含まれるようにレンズ１１を移動させてフォーカス調整を行う（ステップＳ１３５）。なお、フォーカス調整前において、レンズ１１の焦点距離とフランジバックとが一致する位置に撮影センサー１４が配置されているため、当該フォーカス調整において、レンズ１１が撮影センサー１４に近づくことはない。
【００３７】
次に、ＣＰＵ７０は、シャッターボタンが押された状態が解除されたか、あるいは全押しされたか否かを判定し（ステップＳ１４０）、シャッターボタンが解除されたと判定された場合にはステップＳ１１０以降の処理を繰り返す。一方、ステップＳ１４０において、シャッターボタンが全押しされたと判定された場合、ＣＰＵ７０は、記録用の画像を撮影し、記録媒体に記録する（ステップＳ１４５）。すなわち、ＣＰＵ７０は、露光制御部６０に対して制御信号を出力して撮影センサー１４における露光を開始させ、シャッター制御部５０に対して制御信号を出力してシャッター１３の移動が開始させる。なお、ここでは、ステップＳ１２０において設定されたシャッター速度に相当する露光時間で露光が終了するように、シャッター１３の移動開始タイミングを調整する。シャッター１３の遮光幕の移動が完了すると、ＣＰＵ７０は、露光制御部６０に制御信号を出力して撮影センサー１４上の全画素からの読出を行う。この結果、撮影センサー１４から記憶部１５に対して画像データが出力されるため、ＣＰＵ７０は、画像生成部８０に対して制御信号を出力し、記憶部１５に出力された画像データに対して所定の画像処理を実行させ、結果を示す画像データを記録部３０に挿入された記録媒体に記録させる。その後ステップＳ１１０以降の処理を繰り返す。以上の処理によれば、フランジバックが焦点距離と一致する状態に撮影センサー１４の位置を調整した後、撮影センサー１４の位置を維持した状態でフォーカス調整を行って撮影を行うことができる。なお、電源をＯＦＦする場合又はレンズ交換をする場合には、撮影センサー１４はレンズ１１から最も離れた場所に位置している。
【００３８】
（３）他の実施形態：
以上の実施形態は本発明を実施するための一例であり、レンズの焦点距離に応じてフランジバックを調整する限りにおいて、下記の変形例を適宜組み合わせでも良いし、その他にも種々の実施形態を採用可能である。
【００３９】
例えば、上述の実施形態において表示部２０は液晶パネルを用いたＥＶＦであったが、表示部２０はＥＶＦ以外の表示部、例えば、撮影装置１の背面に取り付けられる液晶パネルを用いた表示部であっても良いし、液晶パネル以外の方式を用いたものであっても良い。また、撮影装置１はミラーを備えた一眼レフカメラでも良く、さらにムービーカメラであっても良いし、撮影機能を備えた携帯電話等の装置であっても良い。さらに、上述の撮影センサー１４において、カラーフィルターはベイヤー配列であったが、ベイヤー配列以外の配列で構成されたセンサーを利用した撮影装置に本発明を適用しても良い。例えば、３ＣＣＤや３層式センサーを利用した撮影装置に本発明を適用しても良い。
【００４０】
さらに、レンズ１１において光軸方向に１部又は全部のレンズを移動可能とすることで、光学的なズーム動作を実行できるように構成してもよい。この場合、ズーム動作によって焦点距離が調整された後に、当該焦点距離とフランジバックとが一致するように撮影センサー１４を移動させることになる。
【符号の説明】
【００４１】
１…撮影装置、１０…光学系、１１…レンズ、１１ａ…凹レンズ、１１ｂ…凸レンズ、１１ｃ…凹レンズ、１２…絞り、１３…シャッター、１４…撮影センサー、１４ａ…移動部、１５…記憶部、２０…表示部、３０…記録部、４０…入力部、４３…フォーカス調整部、４５…調整部、５０…シャッター制御部、６０…露光制御部、７０…ＣＰＵ、８０…画像生成部
【図１】
2013224997.tif 000003
【図２】
2013224997.tif 000004
【図３】
2013224997.tif 000005